(57)【特許請求の範囲】
【請求項１】
偏心運動する加圧部材と円形状の内周を有する外側部材の間に弾性材料からなるチューブを配置し、加圧部材によりチューブを長手方向に順次圧迫してチューブ内の流体を送出するように構成されたチューブポンプにおいて、
本体ケースに取り付けられている加圧部材やその周囲に配置されるチューブを覆う円形のカバーを設けると共に、加圧部材を両側から挟み込む形状に湾曲したレバー状であって、円弧状の内周面を有する一対の開閉片で上記外側部材を構成し、各開閉片の下端を相互に離間させて本体ケースに回動可能に支持すると共に、上記一対の開閉片を閉じた場合に各開閉片の先端部分が当接する位置に支持部材を設け、更に一方の開閉片の先端に回動可能に設けられて他方の開閉片の先端に係合する係合レバーと、この係合レバーに螺合された締め付けナットと、この締め付けナットを回動させて両開閉片間を締め付けるロックレバーとで構成され、締め付けナットが係合する他方の開閉片の先端部分に係合を円滑にする円弧面を形成した締め付け機構を設けたことを特徴とするチューブポンプ。
【請求項２】
各開閉片の下端が加圧部材から離れた位置で本体ケースに支持されている請求項１記載のチューブポンプ。
【発明の詳細な説明】
【０００１】
【発明の属する技術分野】
この発明は、加圧部材と円形状の内周を有する外側部材の間にチューブを配置し、加圧部材を偏心運動させてチューブを順次圧迫してポンプ作用を行うチューブポンプに関する。
【０００２】
【従来の技術】
円形状の内周を有する外側部材の内周面に添わせて弾性材料からなるチューブをリング状に配置し、その内側に設けた回転ローラでチューブを一方向に順次圧迫し、あるいはチューブの内側に設けた円形状の加圧部材を外側部材の内周面に沿って偏心運動させてチューブを一方向に順次圧迫することにより、閉塞部を移動させてポンプ作用を行うチューブポンプは公知である。このようなポンプではその構造上チューブが損傷しやすいため、チューブを交換するなどの保守作業が必要であるが、チューブが加圧部材と外側部材との間の狭い空間に配置されているため点検や交換は一般には容易でない。
【０００３】
また例えば特公昭６４−１１８３３号公報に記載されたものが知られており、これは外側部材を開閉できるようにしてあるため、比較的容易にチューブの点検や交換を行うことができると考えられる。しかしながら、この公報記載のものでは、外側部材が加圧部材の全周を覆う完全な円形であると共に、開閉の支点が加圧部材の近くに位置しているため、外側部材を開いた状態にしても支点の部分ではチューブが挟まれたままとなっており、またチューブを１回以上巻いた状態で配置すると共に開閉片に形成されている溝からチューブの両端を引き出す必要があり、取り付け作業が簡単ではない。更に開閉片を閉じた状態に保つだけでは、加圧部材の偏心運動に伴って開閉片が揺動するため、別部材であるキャップを取り付けて強固に固定しなければならず、構造が複雑になると共に作業が面倒である。
【０００４】
【発明が解決しようとする課題】
この発明はこのような問題点に着目し、チューブの交換などを簡単に行えるようにすることを課題としてなされたものである。
【０００５】
【課題を解決するための手段】
上述の課題を解決するために、この発明では、偏心運動する加圧部材と円形状の内周を有する外側部材の間に弾性材料からなるチューブを配置し、加圧部材によりチューブを長手方向に順次圧迫してチューブ内の流体を送出するように構成されたチューブポンプにおいて、本体ケースに取り付けられている加圧部材やその周囲に配置されるチューブを覆う円形のカバーを設けると共に、加圧部材を両側から挟み込む形状に湾曲したレバー状であって、円弧状の内周面を有する一対の開閉片で外側部材を構成し、各開閉片の下端を相互に離間させて本体ケースに回動可能に支持すると共に、上記一対の開閉片を閉じた場合に各開閉片の先端部分が当接する位置に支持部材を設け、更に一方の開閉片の先端に回動可能に設けられて他方の開閉片の先端に係合する係合レバーと、この係合レバーに螺合された締め付けナットと、この締め付けナットを回動させて両開閉片間を締め付けるロックレバーとで構成され、締め付けナットが係合する他方の開閉片の先端部分に係合を円滑にする円弧面を形成した締め付け機構を設けている。なお、本明細書において「上」「下」とは図１に示した向きを基準にしている。
【０００６】
このような構成により、締め付け機構のワンタッチ操作によって開閉片を容易に開閉でき、閉じた状態に保つためのキャップなどの別部材を取り付ける操作は不要になり、各開閉片は下端と上部の先端部分の両端で強固に固定される。また、離間した開閉片の下端の間に形成される間隙をチューブ引き出し口として利用することが可能となるので、チューブ交換などの作業を簡単に行うことが可能となる。
【０００８】
各開閉片の下端は加圧部材から離れた位置で本体ケースに支持される。これにより開いた時に開閉片と加圧部材との間に大きな間隙が生じ、チューブの取り出しや取り付けが容易となる。
【００１０】
【発明の実施の形態】
次に、リング状の加圧部材を外側部材の内周面に沿って偏心運動させてチューブを圧迫する方式のチューブポンプにこの発明を適用した実施の形態について説明する。
【００１１】
図１はポンプ全体の概略正面図であり、１は本体ケース、２及び３は外側部材となる一対の開閉片、４は加圧部材、５は偏心駆動体、６は回転軸、７はチューブである。本体ケース１は箱状のもので内部には減速機付きモータ（図示せず）が設けられており、出力軸である回転軸６に円柱状の偏心駆動体５が取り付けられ、その外側に摺接するように配置されたリング状の加圧部材４が偏心駆動体５の回転に伴って偏心運動するようになっている。加圧部材４は、内リング４１とこれに離脱しないように取り付けられた外リング４２の二重構造となっており、加圧部材４の内リング４１は強度の大きい合成樹脂成形品などで構成され、外リング４２はゴムやウレタンなどの摩擦係数の大きい弾性材料の成形品で構成されている。なお、図１では加圧部材４が図の左側に位置し、チューブ７の左側の部分が加圧閉塞されている状態を例示している。
【００１２】
開閉片２，３は加圧部材４を両側から挟み込む形状の内周面２ａ，３ａを有する円弧状のもので、例えばＡＢＳ樹脂などの強度のある樹脂成形品で構成されており、その基部２ｂ，３ｂをそれぞれ支軸２ｃ，３ｃによって本体ケース１に回動可能に支持され、支軸２ｃ，３ｃを軸として開閉できるようになっている。内周面２ａ，３ａの形状は、開閉片２，３を閉じた状態で回転軸６を中心とする完全な円の一部となり、半円周よりは大きく全円周よりは小さな範囲で加圧部材４を取り囲むように選定されている。支軸２ｃ，３ｃは離間して相互間に間隙部が形成されており、且つ閉じた状態において内周面２ａ，３ａで構成される円よりもかなり外側に位置し、開閉片２，３を開いた状態では内周面２ａ，３ａがその円よりも外側に移動するようになっている。
【００１３】
チューブ７は弾性材料で構成されたもので、加圧部材４と開閉片２，３の内周面２ａ，３ａの間にＵ字状に配置され、両端７ａ，７ｂが開閉片２，３の基部２ｂ，３ｂの間の間隙部から本体ケース１の外部に導出され、この間隙部がチューブ引き出し口７ｃとなっている。
【００１４】
８は支持部材、９は仮止め機構、１０は締め付け機構である。支持部材８は開閉片２，３を閉じた場合に各開閉片の先端を当接させて位置決めすると共に、その位置に固定する作用を持つ円柱状のものであり、本体ケース１と一体に形成され、あるいは別部材を適宜の手段で固定することによって設けられている。図５にその詳細を示すように、支持部材８の外周面に対応して各開閉片２，３には半円筒状の当接部２ｄ，３ｄが凹状に形成され、各当接部２ｄ，３ｄの端縁にそれぞれ設けられている小さい凸部９ａ，９ｂと、これに対応して支持部材８の周面に設けられた凹部９ｃとで仮止め機構９が形成されている。
【００１５】
仮止め機構９の凸部９ａ，９ｂと凹部９ｃは支持部材８の端面から支持部材８の長さの約半分程度の範囲で形成され、更に支持部材８には凹部９ｃよりもやや深い位置までスリット９ｄが形成されている（図６参照）。従って、開閉片２，３を閉じて当接部２ｄ，３ｄを支持部材８に当接させると、図５に鎖線で示すように凸部９ａ，９ｂが凹部９ｃに嵌合し、開閉片２，３は閉じた状態に保持される。支持部材８の凹部９ｃが設けられている部分はスリット９ｄによって弾力を与えられるので、凸部９ａ，９ｂの凹部９ｃへの嵌合と凹部９ｃからの離脱は容易に且つ節度感を伴って確実に行われる。
【００１６】
締め付け機構１０は、開閉片２の先端に設けられている取り付け台１０ａにピン１０ｂにより回動可能に取り付けられた係合レバー１０ｃ、この係合レバー１０ｃの先端に形成された雄ねじ部１０ｃ−１に基部の締め付けナット１０ｄを螺合させると共に、先端にノブ１０ｅ−１を設けてあるロックレバー１０ｅ、このロックレバー１０ｅの締め付けナット１０ｄに対応して開閉片３の先端に形成された係合凸部１０ｆなどで構成されている。雄ねじ部１０ｃ−１と締め付けナット１０ｄは逆ねじになっており、また取り付け台１０ａ、係合凸部１０ｆ及び支持部材８には、係合レバー１０ｃが挿入される割溝１０ｇ、１０ｈ及び１０ｊがそれぞれ形成され、係合凸部１０ｆの上端縁には締め付けナット１０ｄとの係合を円滑にするために円弧面１０ｋが形成されている。
【００１７】
すなわち、開閉片２，３の当接部２ｄ，３ｄを支持部材８に当接させて開閉片２，３を閉じた状態に仮保持した後、係合レバー１０ｃを図２において時計方向に回動させて実線で示すようにロックレバー１０ｅの締め付けナット１０ｄを係合凸部１０ｆに係合させ、ロックレバー１０ｅを図２の右側から見て反時計方向に回動させると、逆ねじの作用で締め付けナット１０ｄが図の左方向に移動して開閉片２，３間が締め付けられ、閉じた状態に維持される。また、この状態から逆の操作をすれば、締め付けナット１０ｄが図に鎖線で示すように右方向に移動してロックが解除されるので、係合レバー１０ｃを反時計方向に回動させることにより開閉片２，３を開くことができる。
【００１８】
なお、雄ねじ部１０ｃ−１と締め付けナット１０ｄのねじの位置とピッチは、ロックレバー１０ｅが図１の実線の位置にある時にはロックが解除され、９０度回動させて図２の状態にするとロック状態となるように選定される。
【００１９】
図１において１１は加圧部材４やその周囲のチューブ７などを覆う円形のカバーであり、一部を破断して示してある。このカバー１１は例えば透明な樹脂材料で形成されており、複数個（図示の例では４本）の固定軸１２により本体ケース１に取り付けられている。この固定軸１２は加圧部材４に設けた穴４ａをそれぞれ貫通しており、偏心駆動体５の回転に伴って加圧部材４が偏心運動する際に、加圧部材４が自転することを防止する回転止めを兼ねている。なお、開閉片２，３の内周面２ａ，３ａの基部２ｂ，３ｂ側には小さな隆起部２ｅ，３ｅを設けてあり、チューブ７の閉塞部が加圧部材４の偏心運動に伴って内周面２ａ，３ａの一方の下端から他方の下端に移動する際に、少なくとも隆起部２ｅ，３ｅのいずれかでチューブ７が確実に閉塞されて逆流が生じないようにしてある。
【００２０】
この実施の形態は上述のような構成であり、上記のような係合レバー１０ｃとロックレバー１０ｅの操作によって開閉片２，３の開閉を行うことができる。しかも閉じた場合には、最初に仮止め機構９で保持されて締め付け操作をするまでに開閉片２，３が勝手に開くようなことがないので、係合レバー１０ｃとロックレバー１０ｅによる締め付けと解除はスムーズに且つワンタッチで行うことができ、操作は容易である。また閉じた状態では、各開閉片２，３は先端が支持部材８を両側から挟んだ状態となり、基部２ｂ，３ｂと先端の当接部２ｄ，３ｄの両端でそれぞれ固定されるため、加圧部材４から受ける加圧力に対して十分な強度で確実に固定される。
【００２１】
チューブ７の点検や交換は、上記の操作によって開閉片２，３を図１の鎖線のように開いた状態で行えばよく、点検や交換を妨げる部材がなくなってチューブ７の周囲が開放される。しかも開閉片２，３の支点となる支軸２ｃ，３ｃは内周面２ａ，３ａで構成される円よりも外側に、すなわち加圧部材４からかなり離れて位置しているので、開閉片２，３を開いた時には開閉片２，３と加圧部材４との間には大きな間隙が生ずる。このため、チューブ７の点検や新しいチューブとの交換作業は周囲の部材に妨げられることがなく、カバー１１を付けたままでも極めて容易に行うことができる。またチューブ７の巻回数が１回未満であり、加圧部材４の周囲にＵ字状に配置して両端７ａ，７ｂをチューブ引き出し口７ｃから引き出せばよいので、この点からも作業は容易である。
【００２２】
【発明の効果】
上述の説明から明らかなように、この発明のチューブポンプは、偏心運動する加圧部材と円形状の内周を有する外側部材の間に弾性材料からなるチューブを配置し、加圧部材によりチューブを長手方向に順次圧迫してチューブ内の流体を送出するように構成されたチューブポンプにおいて、本体ケースに取り付けられている加圧部材やその周囲に配置されるチューブを覆う円形のカバーを設けると共に、加圧部材を両側から挟み込む形状に湾曲したレバー状であって、円弧状の内周面を有する一対の開閉片で外側部材を構成し、開閉片の下端を相互に離間させて本体ケースに回動可能に支持すると共に、一対の開閉片を閉じた場合に各開閉片の先端部分が当接する位置に支持部材を設け、更に一方の開閉片の先端に回動可能に設けられて他方の開閉片の先端に係合する係合レバーと、この係合レバーに螺合された締め付けナットと、この締め付けナットを回動させて両開閉片間を締め付けるロックレバーとで構成され、締め付けナットが係合する他方の開閉片の先端部分に係合を円滑にする円弧面を形成した締め付け機構を設けたものである。
【００２３】
従って、締め付け機構のワンタッチ操作によって開閉片を容易に開閉できると共に、各開閉片を閉じた状態に強固に固定でき、開いた状態でチューブの点検や交換を簡単に行うことができる。また、離間した開閉片の下端の間に形成される間隙をチューブ引き出し口として利用できるので、この点からもチューブの交換などの作業が容易となる。
【００２５】
また、各開閉片の下端を加圧部材から離れた位置で本体ケースに支持することにより、開閉片を開いた時に開閉片と加圧部材との間に大きな間隙を生じさせることができ、チューブの取り出しや取り付けが容易となる。
【図面の簡単な説明】
【図１】この発明の実施の形態の一例における概略正面図である。
【図２】図１のＡ−Ａ線断面図である。
【図３】同上の一方の開閉片の正面図及び側面図である。
【図４】同上の他方の開閉片の正面図、側面図及び平面図である。
【図５】同上の仮止め機構を示す要部の拡大正面図である。
【図６】同上の支持部材の側面図である。
【符号の説明】
１  本体ケース
２，３  開閉片（外側部材）
２ａ，３ａ  内周面
２ｂ，３ｂ  基部
２ｄ，３ｄ  当接部
４  加圧部材
７  チューブ
７ｃ  チューブ引き出し口
８  支持部材
９  仮止め機構
９ａ，９ｂ  凸部
９ｃ  凹部
１０  締め付け機構
１０ｃ  係合レバー
１０ｄ  締め付けナット
１０ｅ  ロックレバー
１０ｆ  係合凸部
【図１】
0004034901.tif 000002
【図２】
0004034901.tif 000003
【図３】
0004034901.tif 000004
【図４】
0004034901.tif 000005
【図５】
0004034901.tif 000006
【図６】
0004034901.tif 000007